(57)【要約】【課題】構造物から出っ張りにくい構成の照明器具を提供する。【解決手段】構造物に取り付けられる照明器具１０は、発光ユニット４０と、構造物から引き出された電源ケーブル５５が挿入される端子台２０と、基板３１と、基板３１に実装された回路部品３２とを有し、電源ケーブル５５から供給される電力を発光ユニット４０が発光するための電力に変換する電源回路ユニット３０とを備え、端子台２０は、電源回路ユニット３０を収容する。【選択図】図６
2015207413.tif 000002
【特許請求の範囲】
【請求項１】
構造物に取り付けられる照明器具であって、
発光ユニットと、
前記構造物から引き出された電源ケーブルが挿入される端子台と、
基板と、前記基板に実装された回路部品とを有し、前記電源ケーブルから供給される電力を前記発光ユニットが発光するための電力に変換する電源回路ユニットとを備え、
前記端子台は、前記電源回路ユニットを収容する
照明器具。
【請求項２】
前記端子台は、
前記端子台の前記構造物に対向する面に設けられた凹部と、
前記電源ケーブルの端部が挿入される、前記凹部の側面に設けられた端子孔とを有する
請求項１に記載の照明器具。
【請求項３】
前記電源回路ユニットは、前記一方の主面から突出した接続ピンを有し、
前記端子台は、前記端子孔に挿入された前記電源ケーブルの端部が差し込まれ、かつ、前記接続ピンが差し込まれることにより、前記電源ケーブルと前記電源回路ユニットとを電気的に接続する接続端子を有する
請求項２に記載の照明器具。
【請求項４】
前記電源回路ユニットの前記一方の主面のうち前記凹部の底面に対応する領域には、所定値よりも高さの低い前記回路部品が実装される
請求項２または３に記載の照明器具。
【請求項５】
前記端子台は、
第一部材と、
前記端子孔が設けられる第二部材とを有し、
前記第二部材は、前記第一部材にスライド挿入される
請求項２〜４のいずれか１項に記載の照明器具。
【請求項６】
前記第二部材は、前記端子台を前記発光ユニットに固定するための固定部を有する
請求項５に記載の照明器具。
【請求項７】
前記端子台は、さらに、端部が前記端子孔に挿入された前記電源ケーブルを前記凹部の底面側から支持する、前記凹部の底面上に設けられたケーブル支持部を有する
請求項２〜６のいずれか１項に記載の照明器具。
【発明の詳細な説明】
【技術分野】
【０００１】
本発明は、天井などの構造物に取り付けられる照明器具に関する。
【背景技術】
【０００２】
従来、天井や壁などの構造物に直接取り付けられる照明器具が知られている。このような照明器具は、天井や壁に穴をあけて埋め込まれることが一般的である（例えば、特許文献１参照）。また、このような照明器具は、構造物内（例えば、天井裏）から配線される電源ケーブルに端子台を介して接続されることが一般的である（例えば、特許文献２参照）。
【先行技術文献】
【特許文献】
【０００３】
【特許文献１】特開２０１１−２４９０９１号公報
【特許文献２】特開２００３−２７２４１０号公報
【発明の概要】
【発明が解決しようとする課題】
【０００４】
照明器具を取り付けるための穴は、建物の断熱性向上等の観点から、なるべく小さいほうがよい。ここで、穴径を小さくし、照明器具を構造物に埋め込まずに取り付けるような構成においては、端子台を含めて照明器具がなるべく天井面から出っ張らないほうがよい。
【０００５】
本発明は、構造物から出っ張りにくい構成の照明器具を提供する。
【課題を解決するための手段】
【０００６】
本発明の一態様に係る照明器具は、構造物に取り付けられる照明器具であって、発光ユニットと、前記構造物から引き出された電源ケーブルが挿入される端子台と、基板と、前記基板に実装された回路部品とを有し、前記電源ケーブルから供給される電力を前記発光ユニットが発光するための電力に変換する電源回路ユニットとを備え、前記端子台は、前記電源回路ユニットを収容する。
【０００７】
また、前記端子台は、前記端子台の前記構造物に対向する面に設けられた凹部と、前記電源ケーブルの端部が挿入される、前記凹部の側面に設けられた端子孔とを有してもよい。
【０００８】
また、前記電源回路ユニットは、前記一方の主面から突出した接続ピンを有し、前記端子台は、前記端子孔に挿入された前記電源ケーブルの端部が差し込まれ、かつ、前記接続ピンが差し込まれることにより、前記電源ケーブルと前記電源回路ユニットとを電気的に接続する接続端子を有してもよい。
【０００９】
また、前記電源回路ユニットの前記一方の主面のうち前記凹部の底面に対応する領域には、所定値よりも高さの低い前記回路部品が実装されてもよい。
【００１０】
また、前記端子台は、第一部材と、前記端子孔が設けられる第二部材とを有し、前記第二部材は、前記第一部材にスライド挿入されてもよい。
【００１１】
また、前記第二部材は、前記端子台を前記発光ユニットに固定するための固定部を有してもよい。
【００１２】
また、前記端子台は、さらに、端部が前記端子孔に挿入された前記電源ケーブルを前記凹部の底面側から支持する、前記凹部の底面上に設けられたケーブル支持部を有してもよい。
【発明の効果】
【００１３】
本発明の一態様によれば、構造物から出っ張りにくい構成の照明器具が実現される。
【図面の簡単な説明】
【００１４】
【図１】図１は、埋め込み型の照明器具の構成の一例を示す模式図である。
【図２】図２は、照明器具および端子台を埋め込まない場合に想定される構成を示す模式図である。
【図３】図３は、実施の形態１に係る照明器具の外観を示す斜視図である。
【図４】図４は、実施の形態１に係る照明器具の一部分解斜視図である。
【図５】図５は、端子台および電源回路ユニットを上方から見た斜視図である。
【図６】図６は、端子台および電源回路ユニットを下方から見た斜視図である。
【図７】図７は、組み立てられた状態の端子台および電源回路ユニットの下面図である。
【図８】図８は、端子台を上方から見た分解斜視図である。
【図９】図９は、端子台を下方から見た分解斜視図である。
【図１０】図１０は、端子孔部分の拡大図である。
【図１１】図１１は、接続端子の拡大図である。
【図１２】図１２は、接続ピン付近の一部断面図である。
【図１３】図１３は、電源回路ユニットの回路部品の配置を説明するための図である。
【図１４】図１４は、ケーブル支持部が設けられない端子台における電源ケーブルの屈曲状態を示す模式断面図である。
【図１５】図１５は、実施の形態１に係る端子台における電源ケーブルの屈曲状態を示す模式断面図である。
【発明を実施するための形態】
【００１５】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１６】
なお、各図は模式図であり、必ずしも厳密に図示されたものではない。また、各図において、実質的に同一の構成に対しては同一の符号を付しており、重複する説明は省略または簡略化される場合がある。
【００１７】
（実施の形態１）
［本発明の基礎となった知見］
従来、天井に穴をあけて埋め込まれる照明器具が知られている。図１は、埋め込み型の照明器具の構成の一例を示す模式図である。
【００１８】
図１に示されるような照明器具１０ａは、端子台２０ａを介して天井裏（天井６０）から配線される電源ケーブル５５に接続されることが一般的である。
【００１９】
ここで、建物の断熱性向上等の観点から、天井６０等の構造物には電源ケーブル５５を引き出すための小さな穴をあけ、照明器具および端子台を構造物に埋め込まずに室内側に設ける構成が考えられる。図２は、照明器具および端子台を埋め込まない場合に想定される構成を示す図である。
【００２０】
図２に示されるように、照明器具１０ｂおよび端子台２０ｂを天井６０に埋め込まない場合、天井６０から出っ張った照明器具１０ｂは、視覚的なノイズとなり、美的外観の点から好ましくない。したがって、照明器具１０ｂおよび端子台２０ｂを天井６０に埋め込まない場合には、照明器具１０ｂが構造物から出っ張りにくい構造、すなわち、端子台２０ｂを含めた、照明器具１０ｂの薄型化が望まれる。
【００２１】
実施の形態１に係る照明器具は、このような知見の下、発明者らによってなされたものである。
【００２２】
［全体構成］
まず、実施の形態１に係る照明器具の全体構成について説明する。図３は、実施の形態１に係る照明器具の外観を示す斜視図である。図４は、実施の形態１に係る照明器具の一部分解斜視図である。なお、図４は、詳細な構造について必ずしも厳密に図示されていない模式図である。
【００２３】
図３に示されるように、照明器具１０は、構造物である天井６０に取り付けられる照明器具である。なお、照明器具１０を平面視した場合の形状は、直径が１０ｃｍ程度の円形となる。
【００２４】
また、図４に示されるように、照明器具１０は、端子台２０と、電源回路ユニット３０と、発光ユニット４０とを備える。また、図４では、取付部材５０および電源ケーブル５５も図示されている。なお、以下の説明においては、天井６０側を上方と記載し、その反対側を下方と記載する。例えば、照明器具１０の光の主出射方向は下方である。
【００２５】
端子台２０は、天井６０（構造物）から引き出された電源ケーブル５５の端部５５ａが挿入される、主として絶縁性材料で形成された部材である。端子台２０は、具体的には、樹脂や、セラミックなどで形成される。端子台２０は、電源回路ユニット３０の一方の主面３１ａを覆い、かつ、発光ユニット４０に収容される。なお、端子台２０と発光ユニット４０とは、端子台２０のネジ穴部２５ａ、２５ｂ、および２５ｃのそれぞれに上方（図中のＺ軸の＋側）から挿入される３本のネジ４１によって固定される。なお、図４では、端子台２０の構造は、簡略化されて記載されており、端子台２０の構造の詳細については別の図面を用いて後述する。
【００２６】
電源回路ユニット３０は、基板３１と、基板３１に実装された回路部品３２とを有し、電源ケーブル５５から供給される交流電力を発光ユニット４０が発光するための直流電力に変換する。電源回路ユニット３０は、端子台２０と発光ユニット４０とで構成される筐体に収容される。なお、図示されないが、電源回路ユニット３０と、発光ユニット４０とは、コネクタつきのケーブル等によって電気的に接続される。
【００２７】
基板３１は、一部が切り欠かれた略円形板状の基板であり、例えば、樹脂によって形成される。なお、基板３１として、アルミナ基板、メタルベース基板、セラミック基板などが用いられてもよい。基板３１は、両方の主面に回路部品３２が実装され、端子台２０と対向する主面３１ａには、電源ケーブル５５から電力の供給を受けるための接続ピン３３が設けられる。なお、回路部品３２は、基板３１の片方の主面のみに実装されてもよい。
【００２８】
電源回路ユニット３０は、端子台２０に保持される。端子台２０の電源回路ユニット３０の保持機構については後述する。
【００２９】
発光ユニット４０は、内部に設けられたＬＥＤを光源とする発光ユニットである。発光ユニット４０内のＬＥＤは、電源回路ユニット３０から供給される直流電力を用いて発光する。
【００３０】
発光ユニット４０は、具体的には、上記ＬＥＤに加えて、導光板および反射板等を有する、直下型の発光ユニットである。なお、発光ユニット４０は、いわゆるエッジライト型の発光ユニットであってもよい。
【００３１】
発光ユニット４０の上側（Ｚ軸の＋側）は、有底円筒状の収容部４３である。収容部４３は、例えば、アルミダイキャストなどの金属により形成されるが、その他の材料で構成されてもよい。
【００３２】
収容部４３の内側には、端子台２０と、電源回路ユニット３０とが収納される。また、収容部４３の内側には、端子台２０を発光ユニット４０に固定するためのネジ４１が取り付けられるボス４４が設けられる。
【００３３】
収容部４３の外周面には、周方向に沿った円環状の外鍔部４５が設けられる。外鍔部４５は、取付部材５０の内周面に周方向に沿って設けられた内鍔部（図示せず）と嵌合する。
【００３４】
発光ユニット４０の下側（Ｚ軸の−側）は、透光性のカバー４２により覆われている。カバー４２は、例えば、シリコーン樹脂、アクリル樹脂、ポリカーボネート樹脂、ガラスなどの透光性材料からなるドーム状の光学部材である。なお、カバー４２は、光拡散粒子等が含まれることにより光拡散性を有してもよい。カバー４２内には、上述のＬＥＤ、導光板、および反射板等が設けられ、カバー４２を通じてＬＥＤが発する光が外部に取り出される。
【００３５】
取付部材５０は、上側に円形平板状の底部を有し、側部が円筒状である有底円筒状の部材である。取付部材５０は、例えば、アルミニウムや鉄のような金属材料、セラミック、または熱伝導性を有する樹脂材料によって形成される。
【００３６】
取付部材５０の底部の中央には、円形の開口５１が形成される。開口５１には、天井６０から引き出された電源ケーブル５５が挿通される。
【００３７】
また、取付部材５０の底部には、間隔をあけて開口５１を挟むように貫通孔５２が形成される。貫通孔５２には、木ネジ５３が挿通され、木ネジ５３が締め付けられることによって、取付部材５０が天井６０に取り付けられる。
【００３８】
取付部材５０の側部の内周面には、内鍔部（図示せず）が設けられる。内鍔部は、上下方向中央付近において内方へ突出して円環状に形成され、照明器具１０（発光ユニット４０）の外鍔部４５と嵌合し、照明器具１０を保持する。内鍔部と外鍔部４５とは、例えば、収容部４３および取付部材５０の一方または両方を弾性変形させて嵌合されてもよいし、ネジ状に形成された内鍔部と外鍔部４５とを螺合させてもよい。なお、取付部材５０の内径は、収容部４３の外径よりも大きいため、収容部４３の外周面は、取付部材５０によって覆われる。
【００３９】
電源ケーブル５５は、天井裏などに配設され、商用電力を照明器具１０やその他の電気機器等に供給するための電線である。電源ケーブル５５の端部５５ａは、剛性を有する銅などの金属製のピンで構成されている。端部５５ａ以外の部分は、可撓性を有し、樹脂などの電気絶縁性の部材により被覆されている。
【００４０】
［端子台の詳細構成］
次に、端子台２０（および電源回路ユニット３０）の詳細構成について図５〜図７を用いて説明する。図５および図６は、端子台２０および電源回路ユニット３０の斜視図である。図７は、組み立てられた状態の端子台２０および電源回路ユニット３０の下面図である。
【００４１】
図５および図６に示されるように、端子台２０は、略円形ドーム状（平面視形状が略円形状）であって、基板３１の一方の主面３１ａ（Ｚ軸の＋側の主面）を覆い、かつ、基板３１の側面を囲う。つまり、端子台２０は、電源回路ユニット３０を収容する。
【００４２】
より具体的には、図７に示されるように、端子台２０は、４つの係止爪２７ａ、２７ｂ、２７ｃ、および２７ｄにより、電源回路ユニット３０を収容した状態で保持する。なお、ここでの収容は、電源回路ユニット３０の大半が端子台２０によって規定される空間内に位置することを意味する。
【００４３】
係止爪２７ａ〜２７ｄのような保持機構（保持部）によれば、電源回路ユニット３０をワンタッチで端子台２０に取り付けられるため、組み立てが容易であるというメリットがある。
【００４４】
上述の図１および図２に示される照明器具では、端子台が照明器具とは別に設けられた。これに対し、照明器具１０では、端子台２０が電源回路ユニット３０の外郭筐体としても機能する。言い換えれば、電源回路ユニット３０の外郭筐体が端子台としても機能する。これにより、部品点数が削減されるため、照明器具１０が薄く構成できる点が特徴である。
【００４５】
ところで、端子台２０には、電源ケーブル５５の端部５５ａが挿入されるが、照明器具１０においては、端子台２０に電源ケーブル５５を挿入するための構造についても工夫がなされている。以下、電源ケーブル５５の挿入するための構造について詳細に説明する。図８および図９は、端子台２０の分解斜視図である。図１０は、電源ケーブル５５の端部５５ａが挿入される端子孔部分の拡大図である。
【００４６】
図８および図９に示されるように、端子台２０の天井６０に対向する面には、凹部２１ｃが設けられる。そして、図１０に示されるように、電源ケーブル５５の端部５５ａは、凹部２１ｃの側面２１ｄ（凹部２１ｃの側部を規定する端子台２０の面）に設けられた端子孔２８ｃおよび２８ｄに挿入される。
【００４７】
また、端子台２０は、接続端子２３ａおよび２３ｂを内部に格納するために、第一部材２１と、端子孔２８ｃおよび２８ｄが設けられる第二部材２２との２つの部材から構成される。また、端子台２０には、解除ボタン２４が設けられる。
【００４８】
接続端子２３ａおよび２３ｂは、電源ケーブル５５と、電源回路ユニット３０とを電気的に接続し、電源ケーブル５５からの電力を電源回路ユニット３０に供給するための金属部材である。図１１は、接続端子２３ａの拡大図である。
【００４９】
端子孔２８ｃに挿入された電源ケーブル５５の端部５５ａは、図１１に示される接続端子２３ａの第一挟持部２９ａ（隙間）に差し込まれる。具体的には、電源ケーブル５５の端部５５ａを第一挟持部２９ａに押し当てると、板バネ部２９ｃ（および板バネ部２９ｄ）が図１１中のＹ軸−方向に動くため、第一挟持部２９ａの隙間が広がり、電源ケーブル５５の端部５５ａが第一挟持部２９ａに差し込まれる。そして、板バネ部２９ｃの付勢力によって、電源ケーブル５５の端部５５ａは、第一挟持部２９ａによって挟持される。
【００５０】
一方、端部５５ａを第一挟持部２９ａから引き抜くときには、図１０に示される解除ボタン２４が用いられる。具体的には、解除ボタン２４が押し込まれることにより、図１１に示される板バネ部２９ｄが図１１中のＹ軸−方向に押される。そうすると、板バネ部２９ｄと一体形成されている板バネ部２９ｃも、Ｙ軸−方向に動いて第一挟持部２９ａの隙間が広がり、端部５５ａを引き抜くことが可能となる。
【００５１】
なお、解除ボタン２４は、ドライバーの先端等により押されることが想定されている。そこで、解除ボタン２４付近の強度を確保するために、凹部２１ｃの底面２１ｅ（凹部２１ｃの底部を規定する端子台２０の面）のうち解除ボタン２４の近傍には、肉厚部２６が設けられている。肉厚部２６は、解除ボタン２４の位置を示す目印としても機能する。
【００５２】
一方、接続端子２３ａの第二挟持部２９ｂには、第二挟持部２９ｂに接続ピン３３が差し込まれる。図１２は、接続ピン３３付近の一部断面図である。
【００５３】
図１２に示されるように、端子台２０が電源回路ユニット３０を保持している状態においては、接続ピン３３が第二挟持部２９ｂに差し込まれて挟持される。
【００５４】
以上説明したように、端子台２０では、天井６０と対向する面に設けられた凹部２１ｃの側面２１ｄに端子孔２８ｃおよび２８ｄが設けられる。つまり、電源ケーブル５５の端部５５ａの挿入方向は、照明器具１０の厚み方向（図中のＺ軸方向）に交差する方向（図中のＹ軸方向）となる。このような構成によれば、端部５５ａの保持機構（接続端子２３ａおよび２３ｂ）を照明器具１０の厚み方向に大きくしなくてよいため、照明器具１０の薄型化が可能である。
【００５５】
また、端部５５ａおよび接続ピン３３のそれぞれと、接続端子２３ａと接続がシンプルな差し込みによって実現されることも、照明器具１０の薄型化に寄与する。
【００５６】
なお、接続ピン３３と、接続端子２３ａとは、弾性接触している。このため、接続ピン３３と、接続端子２３ａとの接触部分で電源回路ユニット３０の位置ずれを吸収でき、接触信頼性が向上される。
【００５７】
また、端子台２０の薄型化のため、電源回路ユニット３０では、基板３１上の回路部品３２の配置に工夫がなされている。図１３は、電源回路ユニット３０の回路部品３２の配置を説明するための図である。
【００５８】
図１３に示される領域７０は、電源回路ユニット３０の主面３１ａのうち凹部２１ｃの底面２１ｅに対応する領域である。言い換えれば、領域７０は、端子台２０に保持された電源回路ユニット３０を平面視した場合に、底面２１ｅと重なる領域である。
【００５９】
ここで、領域７０には、回路部品３２のうちの低背部品が配置され、領域７０の周辺領域には、回路部品３２のうちの高背部品が配置されている。言い換えれば、領域７０には、所定値よりも高さが低い回路部品３２のみが実装されている。
【００６０】
このように、照明器具１０では、凹部２１ｃの底面２１ｅに対応する領域に低背部品を設けることで、空間が効率よく利用されている。言い換えれば、端子台２０と電源回路ユニット３０との隙間をなるべく小さくすることによって照明器具１０の薄型化が実現されている。
【００６１】
［その他の特徴構成］
次に、照明器具１０のその他の特徴構成について説明する。
【００６２】
上述の図８および図９に示されるように、第二部材２２は、第一部材２１にスライド挿入される。具体的には、第二部材２２のスライド部２２ａは、第一部材２１の溝２１ａに挿入され、第二部材２２のスライド部２２ｂは、第一部材２１の溝２１ｂに挿入される。
【００６３】
このように、第二部材２２が第一部材２１に対して水平方向（図中のＹ軸＋方向）にスライド挿入される場合、第二部材２２は、第一部材２１に対してスライド部２２ａおよび２２ｂにおいて面接触する。
【００６４】
端子台２０のような構成においては、第二部材２２には、垂直方向（図中のＺ軸−方向）に負荷がかかる場合が多いことが想定される。例えば、端子台２０に接続された電源ケーブル５５が垂直方向に引っ張られる場合や、解除ボタン２４が誤押下される場合（誤って第二部材２２そのものをこじ開けようとする場合）など、第二部材２２には、垂直方向に負荷がかかる。
【００６５】
これに対し、端子台２０では、組み立てが容易なスライド構造により、部材を増やすことなく（コストを増大させることなく）、面接触で垂直方向の負荷を受けることができる。したがって、第二部材２２にかかる垂直方向（図中のＺ軸方向）の負荷による、第二部材２２の第一部材２１からの脱落や、第二部材２２の破損が生じる危険性を低減することができる。
【００６６】
また、第二部材２２が、第一部材２１に対して水平方向にスライド挿入されるため、垂直方向に大きくなる組み立て機構を設ける必要がない。このため、上記スライド挿入機構は、照明器具１０の薄型化に寄与する。
【００６７】
なお、第二部材２２は、端子台２０を発光ユニット４０に固定するためのネジ穴２４ａを有する。これにより、第二部材２２は、端子台２０が発光ユニット４０に固定されると同時にネジ止めされ、第一部材２１に対する第二部材２２の水平方向（スライド方向）の移動を規制する機構を別途設ける必要がないという利点がある。言い換えれば、ネジ穴２４ａは、端子台２０の発光ユニット４０への固定と、第一部材２１に対する第二部材２２の位置の固定との両方に用いられる。
【００６８】
また、第二部材２２の第一部材２１への挿入が不十分である場合、ネジ穴２４ａと、ボス４４との位置が合わないため、ネジ穴２４ａにネジ４１を挿入することができない。したがって、第二部材２２にネジ穴２４ａを設けることで、第二部材２２の挿入が不十分であることをユーザ（照明器具１０の設置者）に気づかせることができる。
【００６９】
また、上述のように凹部２１ｃの側面２１ｄに電源ケーブル５５の端部５５ａを挿入する場合、電源ケーブル５５を屈曲させる必要がある。図１４は、電源ケーブル５５の屈曲状態を示す模式断面図である。図１４に示されるように電源ケーブル５５が屈曲された場合、電源ケーブル５５の曲げ反力が凹部２１ｃの底面２１ｅにかかる。
【００７０】
このような曲げ反力は、特に、天井面から端子孔２８ｃおよび２８ｄまでの高さ方向の距離（Ｚ軸方向の距離）が短いほど、すなわち、照明器具１０が薄型化されるほど、大きくなる。
【００７１】
そこで、端子台２０は、端部５５ａが端子孔２８ｃおよび２８ｄに挿入された電源ケーブル５５を、当該電源ケーブル５５に当接することによって凹部２１ｃの底面２１ｅ側から支持する、底面２１ｅ上に設けられたケーブル支持部２８ａおよび２８ｂを有する。図１５は、ケーブル支持部２８ａおよび２８ｂが設けられた端子台２０における電源ケーブル５５の屈曲状態を示す模式断面図である。
【００７２】
図１５に示されるように、端子台２０では、ケーブル支持部２８ａおよび２８ｂは、端子孔２８ｃおよび２８ｄの下側（Ｚ軸の−側）の内周面（図１４の内周面２８）が、Ｙ軸＋方向に延長されることにより形成される。つまり、ケーブル支持部２８ａおよび２８ｂは、第二部材２２と一体形成される。
【００７３】
これにより、ケーブル支持部２８ａおよび２８ｂが設けられる領域は、ケーブル支持部２８ａおよび２８ｂと、凹部２１ｃの底面２１ｅ（端子台２０の底面２１ｅを構成する部分）との２つが設けられることにより肉厚となる。すなわち、ケーブル支持部２８ａおよび２８ｂが設けられる領域は、強度が向上された領域であり、当該領域においては、照明器具１０の薄型化によって増大する電源ケーブル５５の曲げ反力を受けるための強度が確保される。
【００７４】
さらに、ケーブル支持部２８ａおよび２８ｂによれば、天井６０側から見た場合（Ｚ軸の＋側から見た場合）の端子孔２８ｃおよび２８ｄの位置が見やすくなる効果もある。
【００７５】
なお、端子台２０においては、ケーブル支持部２８ａおよび２８ｂは、第二部材２２に設けられたが、第一部材２１に設けられてもよい。また、ケーブル支持部２８ａおよび２８ｂは、端子孔２８ｃおよび２８ｄの下側（Ｚ軸の−側）の内周面と連続的に設けられたが、ケーブル支持部２８ａおよび２８ｂは、端子孔２８ｃおよび２８ｄと分離して設けられてもよい。
【００７６】
（その他の実施の形態）
以上、実施の形態１に係る照明器具について説明したが、本発明は、このような実施の形態に限定されるものではない。
【００７７】
例えば、上記実施の形態では、発光ユニット４０には、ＬＥＤが用いられたが、発光ユニット４０には、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が用いられてもよい。
【００７８】
また、上記実施の形態では、端子台２０は、係止爪２７ａ〜２７ｄによって電源回路ユニット３０を保持したが、端子台２０は、その他の保持機構によって電源回路ユニット３０を保持してもよい。
【００７９】
また、上記実施の形態では、端子台２０は、ネジ４１によって発光ユニット４０に固定されたが、リベットやその他の金具で固定されてもよい。すなわち、端子台２０には、ネジ穴部２５ａ〜２５ｃ以外の固定機構（固定部）が設けられてもよい。
【００８０】
上記実施の形態では、照明器具１０は、天井６０に取り付けられたが、天井６０以外の構造物（例えば、壁や床など）に取り付けられてもよい。
【００８１】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００８２】
１０  照明器具
２０  端子台
２１  第一部材
２１ｃ  凹部
２１ｄ  側面
２１ｅ  底面
２２  第二部材
２３ａ、２３ｂ  接続端子
２５ａ、２５ｂ、２５ｃ  ネジ穴部（固定部）
２８ａ、２８ｂ  ケーブル支持部
２８ｃ、２８ｄ  端子孔
３０  電源回路ユニット
３１  基板
３１ａ  主面
３２  回路部品
３３  接続ピン
４０  発光ユニット
５５  電源ケーブル
５５ａ  端部
６０  天井（構造物）
【図１】
2015207413.tif 000003
【図２】
2015207413.tif 000004
【図３】
2015207413.tif 000005
【図４】
2015207413.tif 000006
【図５】
2015207413.tif 000007
【図６】
2015207413.tif 000008
【図７】
2015207413.tif 000009
【図８】
2015207413.tif 000010
【図９】
2015207413.tif 000011
【図１０】
2015207413.tif 000012
【図１１】
2015207413.tif 000013
【図１２】
2015207413.tif 000014
【図１３】
2015207413.tif 000015
【図１４】
2015207413.tif 000016
【図１５】
2015207413.tif 000017